(57)【要約】  【課題】かぶせタイプの扉に若干の反りが発生した場合でも、扉の閉止姿勢を維持させる係止とこの係止解除が円滑かつ確実に行われるようにする調整ができる、使い易く簡易な構造のラッチ装置を提供する。  【解決手段】フック部材３の基部が、係止及び係止解除方向の動作が可能となるように、内側ケース２に保持されたラッチ装置本体４と、該ラッチ装置４を家具本体に装着させる台座１０Ｌ，１０Ｒが少なくとも両側に設けられた外側ケース１０とを有し、ラッチ装置本体４は、外側ケース１０に前後移動自在に保持され、外側ケース２には、ラッチ装置本体４の前後移動の調整を行う操作軸５が支持され、外側ケース１０内には、操作軸５と連動してラッチ本体４を前後移動させるカム６が配設されている。  【選択図】図１０
2008163655.tif 000002
【特許請求の範囲】
【請求項１】
家具本体に片支持状態で回動方向に装着されているかぶせタイプの扉の閉止姿勢を維持させるために、扉の背面に装着されている被係止部材に係止させ得る、家具本体に装着されるラッチ装置であり、
該ラッチ装置は、
ラッチ装置本体と、
該ラッチ装置本体を家具本体に装着させる台座が少なくとも両側に設けられた外側ケースと、を備え、
前記ラッチ装置本体は、前端にフック部が形成されたフック部材の基部を、係止方向とバネの付勢を伴った係止解除方向の移動が自在に、かつ、係止に向けた移動の所定の途中位置において、係止解除方向の移動の停止が行われるように、内側ケース内に保持されており、
前記外側ケースには、ラッチ装置本体の前後移動の調整を行う操作部材が支持され、
前記外側ケース内には、該操作部材と連動してラッチ装置本体を前後移動させるカムが配設されていることを特徴とするラッチ装置。
【請求項２】
前記操作部材は、ドライバ等の工具の先端部を突入させて回動操作をさせるための、すり割り又は穴が頭部に形成された軸部材、指先で操作されるローラ、指先で操作可能なつまみ付き軸部材、のいずれかで構成されている請求項１に記載のラッチ装置。
【請求項３】
前記各台座には、家具本体に木ネジ止めするための横長楕円形状の木ネジ挿通孔が夫々開設されている請求項１又は請求項２に記載のラッチ装置。
【請求項４】
家具本体に請求項１乃至請求項３のいずれかに記載のラッチ装置が装着され、
かぶせタイプの扉の背面に該ラッチ装置に係止される被係止部材が装着されていることを特徴とするラッチ装置付き家具。
【発明の詳細な説明】
【技術分野】
【０００１】
本発明は、家具に回動自在に片支持されたかぶせタイプの扉の閉止姿勢を維持させる、簡易な構造のラッチ装置と、このラッチ層及びこのラッチ装置と一対になる被係止部材が装着されているラッチ装置付き家具に関する。
【背景技術】
【０００２】
台所の収納庫，本棚及び収納棚，キャビネット，下駄箱，備え付け収納棚等の家具の多くの種類には、かぶせタイプの扉を備える。
かぶせタイプの扉は、スライドヒンジ等の装着部材を介して片支持状態で開閉自在に装着されている。スライドヒンジは、扉のかぶせ量を調整する機構を有し、この調整によって、扉を閉じたときに、家具の扉口前端部よりも若干前方に浮かした位置で、扉がラッチ装置又はマグネットキャッチなどで受け止められるようにしてある。
【０００３】
マグネットキャッチは簡易な構造であり、多くの家具に取り付けられているが、かぶせタイプの扉の閉止姿勢の維持がマグネットキャッチを利用して行われていると、扉を開ける操作が面倒になるときがある。
例えば、台所の流し台の上方位置に設けられている収納庫の扉を開ける場合、扉の装着されている把手に手が届かないために、手を上に伸ばして扉の下端近傍部分に指先を引っ掛けて行なう人が多く見受けられるが、この操作は指先に加える力の負担が大きく、逆手による操作になるため、手，腕，肩が疲れる。
また、流し台の下方に設けられている収納庫の扉を開ける場合にも、扉に取付けられている把手の位置が、腰を屈めなければ届かない位置にあるため、この操作をするためには、腰を屈めなければならないために、面倒で、腰が疲れる。    
また、マグネットキャッチは、扉の閉止姿勢の維持が、磁気吸着力に頼っているため、地震発生時に家具内の収納物が転倒したり移動することによって、扉が押されて開くことがある。
【０００４】
ラッチ装置のいくつかの種類には、扉の閉止姿勢を確実にロックさせ、閉止位置にある扉を押す方向に操作すると、ラッチ装置に設けられているバネの付勢力によって扉を自然に開放させるタイプのものがあり、このタイプのラッチ装置が扉に装着されていると、扉を開ける操作が楽になる。
【０００５】
例えば、特許文献１に記載の耐震ラッチがこのタイプのラッチ装置に該当し、特許文献１の図４（ｃ）に示すように、この耐震ラッチを家具に装着し、かぶせタイプの扉２１の背面にこの耐震ラッチと一対になる被係止部材１６を装着すると、扉２１を閉じる方向に操作した時、扉２１が完全に閉じる若干手前の位置で、被係止部材１６と揺動フック部材Ｂとによる係止が行われて、閉じた扉２１をロックさせる。閉じた扉２１を更に前方に押すと、同文献の図１２に示すように、被係止部材１６と揺動フック部材Ｂとによる係止が解除されて、扉２１を自由に開けることができる状態になる。
【特許文献１】特開２００５−２１３９５５号公報
【発明の開示】
【発明が解決しようとする課題】
【０００６】
しかしながら、この耐震ラッチは、固定用支持部（台座）５，５に開設されている木ネジ挿通孔５ａ，５ａが円形の孔であるために、この耐震ラッチを家具に取付けた後は、この取付位置の前後調整ができない。
このため、家具の長期間の使用により扉２１に若干の反りが発生した場合には、被係止部材１６と耐震ラッチとによる仮係止が円滑に行われない状態になることがあった。
特に、扉２１の被係止部材１６が装着されている辺りの面に若干外方向の反りが発生している場合には、扉２１が閉じられて、被係止部材１６と揺動フック部材Ｂとによる仮係止が行なわれると、扉を開けるために、扉を更に前方に押しても、前記仮係止が解除される前に、扉２１の反りが発生していない部分が家具本体の扉口前端縁に当接して、扉２１を全く開けることが全くできない状態になることがあった。
台座５，５に開設されている木ねじ挿通孔５ａ，５ａを前後方向に径が長い長孔にして耐震ラッチの装着位置を前後方向に移動調整できるようにすることは容易に考えられるが、木ネジ挿通孔５ａ，５ａを前後方向に径が長い長孔にすると、扉を開閉を繰り返すことによって耐震ラッチの装着位置が前後方向にずれることがあった。
これらの不具合は、この耐震ラッチに限らず、他の市販ラッチ装置にも有していた。
【０００７】
本発明は、かぶせタイプの扉に反りが発生した場合でも、扉の閉止姿勢を維持させる係止が円滑に行われ、この係止解除が確実に行われるようにするための調整ができ、家具に装着した後でも位置調整ができる、使い易く簡易な構造のラッチ装置を提供することを課題とする。また、このラッチ層とこのラッチ装置と一対になる被係止部材が装着されているラッチ装置付き家具を提供することを課題とする。
【課題を解決するための手段】
【０００８】
本発明の請求項１に係るラッチ装置は、家具本体に片支持状態で回動方向に装着されているかぶせタイプの扉の閉止姿勢を維持させるために、扉の背面に装着されている被係止部材に係止させ得る、家具本体に装着されるラッチ装置であり、該ラッチ装置は、ラッチ装置本体と、該ラッチ装置本体を家具本体に装着させる台座が少なくとも両側に設けられた外側ケースと、を備え、ラッチ装置本体は、前端にフック部が形成されたフック部材の基部を、係止方向とバネの付勢を伴った係止解除方向の移動が自在に、かつ、係止に向けた移動の所定の途中位置において、係止解除方向の移動の停止が行われるように、内側ケース内に保持されてなり、外側ケースには、ラッチ装置本体の前後移動の調整を行う操作部材が支持され、外側ケース内には、該操作部材と連動してラッチ装置本体を前後移動させるカムが配設されているところに特徴がある。
【０００９】
本発明のラッチ装置は、家具に片支持状態で回動自在に取付けられているかぶせタイプの扉の閉止姿勢を維持させるために家具本体の開口近傍面に装着され、扉の背面には、このラッチ装置と一対になる被係止部材が装着される。
【００１０】
本発明のラッチ装置には、フック部材の係止方向及び係止解除方向の移動が、斜め前後方向に進退するタイプのものと、回動方向に揺動するタイプのものという２つのタイプのものがある。
【００１１】
前者のタイプのラッチ装置は、フック部材の斜め進出方向が、係止解除方向になり、この方向にバネで付勢されて、押方向に向けた外圧が作用しない限り、フック部材は常に最も進出（突出）した位置にある。
このラッチ装置では、フック部材の斜め後退方向が係止方向になり、この方向にフック部材を押すと、この方向の所定の途中位置でフック部材の進出方向の移動が停止し、この停止した位置が被係止部材を係止させる位置になる。
そして、この位置で停止しているフック部材を更に押方向（後退方向）に操作すると、この進出方向の停止が解除されて、フック部材はバネの付勢力により元の最大に進出した位置に戻る。このように、このラッチ装置は、フック部材を一定位置以上の深さまで後退方向に押し操作を繰り返す毎に、フック部材の係止位置における停止と停止解除が交互に行われる。このラッチ装置では、フック部材の斜め後退方向が係止方向になり、フック部材の斜め進出方向が係止解除方向になるように、フック部の向きが設定される。このタイプのラッチ装置は、後に説明する実施形態において、一層明確に理解される。
【００１２】
後者のタイプを基本構造として備えるラッチ装置は、フック部剤が被係止部材に当接することにより、内側ケース内に保持されている小球体が移動して、フック部材を係止又は係止解除方向に押上げ又は押下げ操作させる構造を有し、このタイプのラッチ装置は、例えば、背景技術欄で提示した特許文献１の耐震ラッチが該当する。
【００１３】
本発明の請求項１に係るラッチ装置の最も特徴的なところは、内側ケースにフック部材の基部が保持されたラッチ装置本体が、外側ケースに前後移動自在に保持され、しかも、この移動の調整が可能であるところにある。
この移動と調整ができると、扉の被係止部材が装着されている辺りの部分に若干の反りが発生しても、閉じた扉を円滑かつ確実にロックさせる。
閉止姿勢の扉と、家具本体の前端縁との間には、若干の隙間が確保されており、被係止部材を係止している状態にあるフック部材には、更に後退方向に移動する余裕があるために、扉を前方に押すと、扉はバネで付勢されたフック部材で押し戻されて、自然に開放する。
【００１４】
本発明のラッチ装置を家具本体に装着し、かぶせタイプの扉の背面に被係止部材を装着すると、閉止姿勢にある扉は、不用意に開くことはなく、地震が原因で開くこともない。
【００１５】
ラッチ装置本体の前後方向の移動調整は、操作部材を手動で、又はドライバなどの工具を操作することにより行われ、これに伴うカムの回動により、ラッチ装置本体を前後いずれかの方向に移動させる。
【００１６】
本発明のラッチ装置を家具本体に装着する時には、ラッチ装置本体を外側ケースの最も後退した位置に移動調整しておくことが好ましく、このようにすると、ラッチ装置本体を扉の反りの程度に合わせて、前方に移動調整できる。この移動調整は、扉の反りの程度に合わせて適宜行なう。扉に反りが発生しているか否かを目で見て確認することは、反りの程度が若干であるため、容易ではないが、扉を閉じた時に、被係止部材とラッチ装置とによる係止が円滑に行われているか否かを確認することで容易に判断できる。
【００１７】
請求項２に係るラッチ装置では、前記操作部材は、ドライバ等の工具の先端部を突入させて回動操作をさせるための、すり割り又は穴が頭部に形成された軸部材、指先で操作されるローラ、指先で操作可能なつまみ付き軸部材、のいずれかで構成されている。
【００１８】
これらの操作部材は、家具所有者が容易に操作できるものであり、操作部材を外部ケースの外方向に大きく突出させなくても十分その機能を働かせることができ、収納物を収納庫内に出し入れする際の邪魔にならない。
特に、操作部材が軸部材であり、操作部材とカムとが一体形成されていると、操作手段からカムに至る動力伝達が確実になり、構造が簡単であるため、最適とされる。操作部材がローラ、指先で操作可能なつまみ付き軸部材である場合にも、これらとカムとを一体形成することも可能である。
【００１９】
請求項３に係るラッチ装置では、請求項１又は２に係るラッチ装置の各台座に、家具本体に木ネジ止めするための横長楕円形状の木ネジ挿通孔が夫々開設されている。
【００２０】
ラッチ装置を家具に装着するための木ネジ挿通孔が横長楕円形状であると、木ネジ止めして家具に装着したラッチ装置の横方向の移動調整が、木ネジを一旦緩めるだけで行える。ラッチ装置の横方向の移動は、フック部材先端のフック部を被係止部材に係止させる量（深さ）を最適な量に調整をするために行われる。
【００２１】
さらに、本発明では請求項４においてラッチ装置付き家具も提案する。請求項４のラッチ装置付き家具は、家具本体に請求項１乃至３のいずれかに記載のラッチ装置が装着され、かぶせタイプの扉の背面に該ラッチ装置に係止される被係止部材が装着されているところに特徴がある。
【発明の効果】
【００２２】
請求項１に係るラッチ装置における効果は、本発明のラッチ装置を家具本体に装着し、この家具本体に開閉自在に片支持されているかぶせタイプの扉の背面に、このラッチ装置と一対になる被係止部材を装着することにより明確に発揮する。
本発明のラッチ装置においては、このラッチ装置本体を、家具本体に装着する台座が設けられている外側ケース内に、前後移動調整可能に保持させて構成した結果、ラッチ装置を家具本体に装着したまま、ラッチ装置本体の前後方向の移動調整ができるようになった。このため、家具の長期間の使用により扉に反りが発生して、被係止部材とラッチ装置とによる係止が適切に行われない事態になる前に、ラッチ装置本体の前後方向に移動調整を行って、被係止部材とラッチ装置とによる係止が最適な状態で行われるようにすることができるようになった。
【００２３】
しかも、ラッチ装置本体の前後移動調整をさせる構造が、操作部材を操作してカムを連動させて行う簡単な構造にしたことによって、故障も少なく、安価で製造できるラッチ装置にすることができるようになった。
【００２４】
請求項２に係るラッチ装置においては、ラッチ装置本体の前後移動調整を行う操作部材を、ドライバ等の工具の先端部を突入させて回動操作をさせるための、すり割り又は穴が頭部に形成された軸部材、指先で操作されるローラ、指先で操作される摘み付き軸部材、のいずれかで構成した結果、ラッチ装置本体の前後移動調整が容易に行えるようになり、しかも、簡単な構造であるため、更に故障が少なく、安価にて製造できるラッチ装置にすることができるようになった。
【００２５】
請求項３に係るラッチ装置においては、更に、前記各台座に、家具に木ネジ止めするための横長楕円形状の木ネジ挿通孔を夫々開設させた結果、ラッチ装置を木ネジ止めによって家具に装着した後でも、この木ネジを一旦緩めるだけで、ラッチ装置の横方向の移動調整ができるようになり、これにより、ラッチ装置先端のフック部を、被係止部材を係止させる最適な位置に、位置合わせすることができるようになった。
【００２６】
請求項４に係るラッチ装置付き家具においては、家具本体に請求項１乃至３のいずれかに記載のラッチ装置を装着し、かぶせタイプの扉の背面に該ラッチ装置に係止される被係止部材を装着した構成にした結果、扉の反りの程度に合わせたラッチ装置本体の前後移動調整が可能になり、これにより、扉の閉止姿勢が確実に確保され、しかも、閉止姿勢にある扉を更に押操作するだけで、扉が押し戻されて開放する、使い易いラッチ装置付き家具にすることができるようになった。  
【発明を実施するための最良の形態】
【００２７】
本発明を実施するための最良の形態は、次の（１）〜（４）の構造を備えるラッチ装置が該当する。
（１）内側ケースにフック部材の基部が保持されたラッチ装置本体が、外側ケースに前後移動自在に保持され、しかも、この移動の調整が可能になっている。（２）フック部材は、その前端にフック部が形成され、フック部材の基部が、係止方向の移動及びバネによる付勢を伴った係止解除方向の移動が自在であり、かつ、押操作を与える度に、係止に向けた移動の所定の途中位置において係止解除方向の移動の停止と、この停止の解除とが交互に行われるように、内側ケース内に組み付けられている。
（３）外側ケースには、ラッチ装置本体の前後移動の調整を行う操作部材が支持され、外側ケース内には、該操作部材と連動してラッチ装置本体を前後移動させるカムが配設されている。
（４）内側ケースには、カムの先端部が当接する楕円形状のカム当接面が形成されている。
（５）外側ケースに設けられている台座に、横長楕円形状の木ネジ挿通孔が開設されている。
【発明の実施の形態】
【００２８】
図１はラッチ装置付き家具５０の一部を斜視図で示しており、このラッチ装置付き家具５０には、かぶせタイプの扉５２がスライドヒンジ３０を介して回動方向に開閉自在に片支持されている。そして、この扉５２の閉止姿勢を維持させるために、家具本体５１の開口近傍面に本発明の１実施形態に係るラッチ装置（以下、本発明実施形態のラッチ装置と略称する。）１が装着され、扉５２の背面に被係止部材（受座）２０が装着されている。
【００２９】
このようなラッチ装置付き家具５０にすると、扉５２を閉じ終える直前に、被係止部材２０によってラッチ装置１のフック部材３が押されて後退し、フック部材３が後退する途中位置で、フック部３が被係止部材２０に係止して、閉止姿勢にある扉５２を、不用意に開放しないようにロックさせる。
そして、閉止姿勢にある扉５２を更に若干前方に押操作すると、被係止部材２０とフック部分３による係止が解除され、扉５２はバネで付勢されたフック部材３で押し戻されて、開放する。
【００３０】
図２（ａ）は本発明実施形態のラッチ装置１と被係止部材２０とを斜視図で示し、図２（ｂ）〜（ｃ）はいずれもこのラッチ装置１を斜視図で示している。
図２の各図に示す本発明実施形態のラッチ装置１は、略長方体形状を有するプラスチック製の内側ケース２にフック部材３が斜め前後方向に進退自在に保持されたラッチ本体部４が、前端部と下部が開放された函形プラスチック製の外側ケース１０内に、前後方向の移動調整が自在に保持されたもので構成されている。  
外側ケース１０の左右両側には、夫々側方に向けて突出させた台座１０Ｌ，１０Ｒが形成され、各台座１０Ｌ，１０Ｒには横長楕円形状の木ネジ挿通孔１０ａ，１０ａが縦方向に開設されている。
【００３１】
内側ケース２に保持されているフック部材３の斜め前後方向の移動は、進出（係止解除）方向と、後退（係止）方向の移動であり、進出（係止解除）方向にバネで付勢されている。
図２（ａ）（ｃ）（ｄ）（ｅ）では、いずれもフック部材３が最大に突出した位置にあり、この位置にあるフック部材３が後退方向に押操作されて、図２（ｂ）に示す所定の位置まで達すると、フック部材３の進出（係止解除）方向の移動が阻止されて、フック部材３のこの方向の移動が停止する。
図（ｂ）に示す停止位置にあるフック部材３には、更に後退する方向に移動する若干の余裕があり、この位置にあるフック部材が更に押操作され、その後、押操作していた外圧から開放させると、フック部材３は、バネの付勢力によって、元の位置、即ち、最大に突出した位置まで押し戻される。
扉の開閉方向が左右逆方向の家具に対応させるため、図２（ｅ）に示すように、ラッチ装置本体４を、外側ケース１０に対して上下逆方向に向きを変えて保持させることが可能である。
【００３２】
本発明実施形態のラッチ装置１においては、扉に反りが発生していない場合には、ラッチ装置本体４は、通常、図２（ａ）（ｂ）（ｃ）（ｅ）に示すように、外側ケース１０内の最も後退した位置に、位置合わせされている。
そして、扉の反りの程度に合わせて、ラッチ装置本体４を、図２（ｄ）に示すように、前方に移動調整させることができるように構成されている。
ラッチ装置本体４の前後移動調整は、操作部材５を回動方向に操作することにより行われる。
【００３３】
次に、本発明実施形態のラッチ装置１の構造を更に詳しく説明する。
図３（ａ）（ｂ）はいずれもこのラッチ装置を分解斜視図で示している。
図３の各図に示すように、内側ケース２の左右上下の角に沿った前後個所には、夫々前後２箇所の切欠き部２ｆ，２ｆ・・が形成され、各切欠き部２ｆ，２ｆ・内に係合する突起１０ｄ，１０ｄ・・が、外側ケース１０の左右下縁部に内側に向けて形成されている。
内側ケース２の下部側に形成されている切欠き部２ｆ，２ｆ・・は、図２（ｅ）に示すようにラッチ装置本体４を上下逆方向に向きを変えて保持させる場合に対応させるためにある。
内側ケース２の上面２ａと下面２ｂにおける後方寄りの個所には、夫々横方向に径が長い楕円形状の低段部よりなるカム突入部２ｃ，２ｄが形成されている。カム突入部２ｃ，２ｄの各短径は、後述するカム６の短径に略合わせてある。
一方のカム突入部２ｃから他方のカム突入部２ｄに向けた個所には、前後方向に径が長い縦孔２ｅが形成されており、この縦孔２ｅは、後述する操作部材５の下部５ｃを突入させるためにある。
内側ケース２の下面２ｂに形成されているカム突入部２ｄは、図２（ｅ）に示すようにラッチ装置本体４を上下逆方向に保持させる場合に対応させるためにある。
【００３４】
図３の各図に示す操作部材５は、頭部５ａに十字形状のドライバビット５ｂが形成された軸部材であり、操作部材５の頭部５ａを残した下方位置に、カム６が一体形成されている。
カム６は、厚肉円板形状であり、カム６の回動軸心の位置が偏心した位置に設定されて、操作部材５を回動させたときに、カム６が偏心回動、即ち、カム運動するようにしてある。
【００３５】
図２の各図を参照しつつ図３の各図に示すように、ラッチ装置本体を外側ケース１０内に保持させるときには、先ず、内側ケース２に形成されている縦孔２ｅ内に操作部材５の下部５ｃを突入させて、カム６を内側ケース２の上面２ａに形成されているカム突入部２ｃ内に配置させる。
そして、ラッチ装置本体４を外側ケース１０内に保持させる際に、操作部材５の頭部５ａを外側ケース１０の上面２ａの後部個所に形成されている孔１０ｂに突入させる。
【００３６】
外側ケース１０に形成されている突起１０ｄ，１０ｄ・・を、下部側に位置する切欠き部２ｆ，２ｆ・・内に突入させると、ラッチ装置本体４は外側ケース１０内に、抜け外れることがなく保持される。
図３の各図に示すように、内側ケース２に形成されている各切欠き部２ｆ，２ｆ・・の前後幅は、外側ケース１０に形成されている各突起１０ｄ，１０ｄ・・の前後幅よりも広く設定されており、これにより、外側ケース１０内に保持されたラッチ装置本体４は、所定範囲内で前後移動自在になる。
【００３７】
図４（ａ）は本発明実施形態のフック装置１を平面図で示し、（ｂ）は同じく側面断面図で示し、（ｃ）及び（ｄ）はいずれも内側ケース２内にフック部材３の基部３ａが保持されている状態を平面断面図で示しており、これらの図は、内側ケース２に操作部材５とカム６を配置させた状態で示している。
【００３８】
図３の各図を参照しつつ図４の各図に示すように、本発明実施形態のラッチ装置１は、操作部材５が回動方向に操作されると、カム６が偏心回動、即ち、カム運動し、これにより、カム突入部２ｃの周囲に形成されているカム当接面２ｒがカム６の突出部分で押されて、ラッチ装置本体４が前後いずれかの方向に移動するように構成されている。
【００３９】
内側ケース２に形成されている縦孔２ｅは、ラッチ本体４の前後方向の移動が、操作部材５の下部５ｃによって阻止されないように、前後方向に径が長い楕円形状にて形成されている。
【００４０】
図４（ｂ）〜（ｄ）に示すように、フック部材３は、その基部３ａが内側ケース２の前面から斜め後方に形成されている角穴２ｇ内に挿入され、斜め前後方向に移動自在に保持されている。そして、角穴２ｇ内に配設されているバネ７によってフック部材３が進出する方向に付勢されている。
【００４１】
図５（ａ）はフック部材３とその付属品を平面断面図で示し、（ｂ）はこれを側面図で示し、図６（ａ）及び（ｂ）はいずれも内側ケース内にフック部材の基部が保持されている状態を平面断面図で示し、図７（ａ）は内側ケース２の角穴２ｇの壁面に形成されている案内溝を壁面とともに拡大図で示し、（ｂ）はこれを斜視図で示している。
【００４２】
図５（ａ）（ｂ）に示すように、フック部材３の基部３は長方形状を有しており、その１側面には、突起３ａが形成され、この面と反対方向の面には、横方向に長い矩形の凹部３ｄが形成されている。
【００４３】
図５（ａ）（ｂ）を参照しつつ図６（ａ）（ｂ）に示すように、内側ケース２には、その先端面から斜め後方に向けて、角穴２ｇが形成されており、フック部材３の基部３ａは、この角穴２ｇ内に挿入されて保持されている。
フック部材３の抜け止めは、フック部材３の基部３ａに形成されている突起３ｃを、前記角穴２ｇの壁面２ｊに斜め前後方向に向けて形成されている溝２ｈ内に突入させ、更に、フック部材３の基部２ａ内から外方向にバネ８で付勢されている金属小球９の先端部を、角穴２ｇ内の対向壁面２ｉ形成されている案内溝２ｋ内に突入させることにより行われており、金属小球９は、フック部材３の斜め前後方向に伴って、案内溝２ｋに沿って連れ動きする。
【００４４】
図６（ａ）に示すように、フック部材３が最大に進出した位置にある時には、金属小球９は、図７の各図に示す案内溝２ｋのスタート位置（Ａ）にある。
そして、フック部材３の斜め後退方向の移動に伴って、金属小球９は案内溝２ｋの先端位置（Ｂ）まで移動する。この先端位置（Ｂ）は、フック部材３の進出方向に向けた移動を阻止するために十分な位置、即ち、前記所定位置を越える位置であり、この位置（Ｂ）に金属小球９が達すると、金属小球９はこの位置（Ｂ）から係止位置（Ｃ）まで至り形成されている更に若干深い溝２ｋａ内に落ち込む。
そして、フック部材３を後退方向に押圧していた外圧から開放させると、フック部材３はバネ７の付勢力により進出する方向に押し戻され始めるが、このとき金属小球９は、移動し易い方向の係止位置（Ｃ）まで移動し、この係止位置（Ｃ）の前端壁で受け止められて、フック部材３の押し戻される方向の移動が停止される。このように、フック部材３の所定位置における斜め後退方向の移動の停止は、金属小球９が案内溝２ｋ内の所定位置で係止されることにより行われる。  
【００４５】
係止位置（Ｃ）から（Ｄ）位置，（Ｅ）位置を経由して、スタート位置（Ａ）位置の手前に至る案内溝２ｋｂは、前記溝２ｋａよりも若干底が浅く形成されており、このため、停止位置にあるフック部材３を更に後退方向に押操作すると、金属小球９は逃げ易い方向の（Ｄ）位置まで移動するため、フック部材３の押し戻す方向の移動の停止が解除される。
そして、フック部材３を押操作していた外圧から開放させると、フック部材３はバネ７で押し戻され、これに伴って金属小球９が（Ｄ）位置から（Ｅ）位置を通過してスタート位置（Ａ）まで移動し、フック部材３は元の最大に突出した位置まで戻る。
【００４６】
図８はラッチ装置付き家具５０の一部分を側面断面図で示している。
図８に示すように、扉５２の被係止部材２０が装着されている辺りの部分が若干外方向に反りが発生することがある。扉５２にこの方向に反りが発生すると、扉５２を閉じた時の被係止部材２０の位置は、以前よりも若干家具本体５１の前方位置にあり、ラッチ本体４を前方に移動させない限り、被係止部材２０とフック部材３とによる係止が円滑に行われなくなったり、この係止の解除ができなくなるおそれがある。
本実施形態のラッチ装置１は、ラッチ装置１を家具本体５１に装着したまま、ラッチ装置本体４を家具本体５１の前方に移動調整して、被係止部材２０とフック部材３とによる係止が円滑に行われ、この係止の解除が円滑に行えるようにすることができる。
【００４７】
図９及び図１０はいずれもラッチ装置付き家具５０の要部を拡大平面断面図で示しており、これらの図では、いずれも扉５２が閉じられて、フック部材３と被係止部材２０とによる係止が行われている状態で示している。
【００４８】
図９に示すように、本発明実施形態のラッチ装置１は、外側ケース１０の両側に設けられている左右の台座１０Ｌ，１０Ｒを利用して家具５０の収納口前端近傍面に装着され、この装着には木ネジ４０，４０が使用される。かぶせタイプの扉５２の背面には、このラッチ装置１に対応した被係止部材（受座）２０が装着される。
【００４９】
図９に示す扉５２は、反りが発生していない状態にあり、この状態では、外部ケース１０内に保持されているラッチ装置本体４は、最も後退した位置にある。ラッチ装置本体４をこの位置にする操作は、操作部材５を左右いずれかの方向に回動操作して、カム６の先端部によって内側ケース２を後方に移動させることにより行われている。
【００５０】
扉５２を閉じる方向に操作すると、扉５２を閉じる直前に、扉５２の背面に装着されている被係止部材２０の板面部分２０aによって、フック部材３が斜め後退方向（Ｒ）に押し付けられる。フック部材３がこの方向（Ｒ）に移動すると、フック部３ａと被係止部２０ｂとによる係止が行われて、扉５２の係止解除方向（開く方向）の移動が一旦停止される。即ち、扉５２の閉止姿勢を維持させるロックが行われた状態になる。
【００５１】
反りが発生していない扉５２を閉じると、扉５２と家具本体５１の前端縁との間には若干の隙間Ｄ１があり、しかも、フック部材３には更に後退する方向に移動する余裕が残されている。
このため、閉じた扉５２を更に押操作して、フック部材３を更に若干後退する方向に移動させ、その後、この押操作していた外圧から開放させると、フック部材３がバネで押し戻され、この押し戻される初期段階で、フック部３ａが被係止部２０ｂから離れる方向に移動して、フック部３ａと被係止部材２０とによって行われていた係止が解除され、扉５２はフック部材３によって開く方向に押し戻される。
【００５２】
フック部３と前記係止部２０ｂとによる係止量（係止深さ）を最適な量に調整する場合には、木ねじ４０，４０を一旦緩めてラッチ装置１を（Ｓ）方向に移動調整すればよく、この調整を可能にするために、左右の台座１０Ｌ，，１０Ｒに開設されている木ネジ挿通孔１０ａ，１０ａは、横方向に径が長い長孔に形成されている。
【００５３】
図１０に示すように、扉５２の被係止部材２０が装着されている辺りの面が、若干家具前方に反りが発生している場合には、閉じた扉５２と家具本体５１の前端縁との間に形成されている隙間Ｄ２は、以前よりも広くなる。本発明実施形態のラッチ装置１は、このような場合に対応させて、操作部材５を左右いずれかの方向に操作して、カム６の向きを前方に向けることにより、ラッチ装置本体４の位置を、この反りの程度に合わせて、突出方向に移動調整させれば良い。図１０はラッチ装置本体４を最大に突出させた状態を示している。
【図面の簡単な説明】
【００５４】
【図１】ラッチ装置付き家具の一部を示した斜視図である。
【図２】（ａ）は本発明実施形態のラッチ装置と被係止部材とを示した斜視図、（ｂ）〜（ｃ）はいずれもこのラッチ装置を示した斜視図である。
【図３】（ａ）はラッチ装置本体を示した斜視図、（ｂ）は同じくその内部構造を示した側面断面図、（ｃ）（ｄ）はいずれも同じくその内部構造を示した平面断面図である。
【図４】（ａ）は本発明実施形態のフック装置を示した平面図、（ｂ）は同じく側面断面図、（ｃ）（ｄ）はいずれも内側ケース内にフック部材の基部が保持されている状態を示した平面断面図である。
【図５】（ａ）はフック部材３とその付属品を示した平面断面図、（ｂ）は同じく側面図である。
【図６】（ａ）（ｂ）はいずれも内側ケース内にフック部材の基部が保持されている状態を示した平面断面図である。
【図７】（ａ）は内側ケースの角穴の壁面に形成されている案内溝を壁面とともに示した拡大図、（ｂ）は同じく斜視図である。
【図８】本発明実施形態のラッチ装置の取付状態を家具の一部とともに示した側面断面図である。
【図９】ラッチ装置付き家具の要部を示した拡大平面断面図である。
【図１０】ラッチ装置付き家具の要部を示した拡大平面断面図である。
【符号の説明】
【００５５】
１    本発明の１実施形態に係るラッチ装置
２    内側ケース
２ａ  上面
２ｂ  下面
２ｃ  カム突入部
２ｄ  カム突入部
２ｅ  縦孔
２ｆ  低段部
２ｇ  角穴
２ｈ  溝
２ｉ  対向壁面
２ｊ  壁面
２ｋ  案内溝
２ｋａ  若干深い溝
２ｋｂ  案内溝
３    フック部材
３ａ  基部
３ｂ  フック部
３ｃ  突起
３ｄ  凹部
４    ラッチ装置本体
５    操作軸部材
５ａ  頭部
５ｂ  ドライバビット
５ｃ  下部
６    カム
７    バネ
８    板バネ
９    金属小球
１０    外側ケース
１０Ｌ，１０Ｒ  台座
１０ａ  木ネジ挿通孔
１０ｂ  孔
１０ｃ  側壁
１０ｄ  突起
２０    被係止部材
２０ａ  板面部分
２０ｂ  係止部
３０    スライドヒンジ
４０    木ネジ
５０    ラッチ装置付き家具
５１    家具本体
５２  （かぶせタイプの）扉
【図１】
2008163655.tif 000003
【図２】
2008163655.tif 000004
【図３】
2008163655.tif 000005
【図４】
2008163655.tif 000006
【図５】
2008163655.tif 000007
【図６】
2008163655.tif 000008
【図７】
2008163655.tif 000009
【図８】
2008163655.tif 000010
【図９】
2008163655.tif 000011
【図１０】
2008163655.tif 000012